(57)【要約】【課題】キャップ部材の個数を減らすことにより、製造費を低減することができる端末装置を提供する。【解決手段】締結部材５０を介して被結合部材３８と結合される外側ケース部材４０を備えた筐体３４と、前記筐体の内部に配置される回路基板６４と、前記回路基板と電気的に接続すると共に前記筐体の外側に露出するよう設けられる端子部材４４とを備える端末装置において、前記端子部材は、前記筐体の前記外側ケース部材に対して脱着可能に構成され、かつ、前記締結部材を覆うようにした。【効果】キャップ部材の個数を減らすことにより、製造費を低減することができる。【選択図】図３
2007274087.tif 000002
【特許請求の範囲】
【請求項１】
締結部材を介して被結合部材と結合される外側ケース部材を備えた筐体と、
前記筐体の内部に配置される回路基板と、
前記回路基板と電気的に接続すると共に前記筐体の外側に露出するよう設けられる端子部材と
を備える端末装置において、
前記端子部材は、前記筐体の前記外側ケース部材に対して脱着可能に構成され、かつ、前記締結部材を覆うことを特徴とする端末装置。
【請求項２】
前記端子部材と前記回路基板の少なくとも一方が、他方に圧接して互いを電気的に接続させる接続部を有していることを特徴とする請求項１に記載の端末装置。
【発明の詳細な説明】
【技術分野】
【０００１】
本発明は、筐体の外側に露出する雄ネジ等の締結部材を、他の部材で隠すようになっている端末装置に関するものである。
【背景技術】
【０００２】
図７は、従来の端末装置の一例である携帯電話機２を示す斜視図である。同図に示すように、この携帯電話機２は筐体４を備えており、この筐体４は、その内部に空間を有するように、上側ケース６と下側ケース８とが互いに接合して構成されている。この筐体４の上側ケース６には、主操作部９が配置される面の四隅のそれぞれに、深さを有するネジ締め用凹部１０が設けられており、このネジ締め用凹部１０の内部にキャップ部材１２が嵌め込まれている。
【０００３】
上側ケース６の各ネジ締め用凹部１０に対応する部分の内壁は、図８に示すように、ネジ締め用凹部１０が窪んでいる深さの分だけ、下側ケース８側に膨出するよう形成されている。また、下側ケース８の内部には、上側ケース６のネジ締め用凹部１０の位置に対応して、上側ケース６側に高さを有するボス部１６が設けられている。
【０００４】
また、上側ケース６と下側ケース８との間の内部空間には、回路基板１８が配置されている。この回路基板１８には、嵌合孔１８ａが形成されており、この嵌合孔１８ａが、下側ケース８のボス部１６の上端部に嵌り込むことにより、回路基板１８はその位置が定まるようになっている。また、ボス部１６は、回路基板１８の嵌合孔１８ａを通って上側ケース６側に露出する上端面１６ａが、上側ケース６のネジ締め用凹部１０の底板１０ａに突当たっている。
【０００５】
ネジ締め用凹部１０の底板１０ａには、孔部１０ｂが設けられており、この孔部１０ｂを通る雄ネジ部材２０（締結部材）が、下側ケース８のボス部１６の軸線上に形成された雌ネジ部２２にネジ締結することにより、上側ケース６と下側ケース８は互いに固定され、外れないようになっている。雄ネジ部材２０は、上側ケース６の外側から締め付けられるようになっているが、この雄ネジ部材２０の締付け後に、キャップ部材１２がネジ締め用凹部１０に嵌め込まれるため、雄ネジ部材２０の頭部２０ａは、外部から見えないようになっている。
【０００６】
このような従来の携帯電話機２のキャップ部材１２と同様のキャップ部材を有する携帯電話機としては、例えば、特許文献１に記載されているようなものがある。
【特許文献１】特開２００１−２４７６３号公報
【発明の開示】
【発明が解決しようとする課題】
【０００７】
しかしながら、上記従来の携帯電話機２や上記特許文献１に係る携帯電話機では、キャップ部材により雄ネジ部材を覆う構成のため、部品点数の総数が多くなり、組立て工数等が増加して、製造費が増加してしまうという問題があった。
【０００８】
そこで本発明は、上記問題点に鑑みて、キャップ部材の個数を減らすことができる端末装置を提供することを課題とするものである。
【課題を解決するための手段】
【０００９】
上記課題を解決するために本発明は、
締結部材を介して被結合部材と結合される外側ケース部材を備えた筐体と、
前記筐体の内部に配置される回路基板と、
前記回路基板と電気的に接続すると共に前記筐体の外側に露出するよう設けられる端子部材と
を備える端末装置において、
前記端子部材は、前記筐体の前記外側ケース部材に対して脱着可能に構成され、かつ、前記締結部材を覆うことを特徴とするものである。
【００１０】
また、本発明による端末装置は、前記端子部材と前記回路基板の少なくとも一方が、他方に圧接して互いを電気的に接続させる接続部を有していることを特徴とするものである。
【発明の効果】
【００１１】
このような本発明の端末装置によれば、キャップ部材の個数を減らすことにより、製造費を低減することができる。
【発明を実施するための最良の形態】
【００１２】
以下、本発明に係る端末装置を実施するための最良の形態について、図面に基づいて具体的に説明する。
図１ないし図６は、本発明の一実施の形態に係る携帯電話機３０（端末装置に相当）について説明するために参照する図である。
【００１３】
本実施の形態に係る携帯電話機３０は、図１に示すように、ヒンジ部３２により折畳み自在に連結される、第１筐体３４と第２筐体３６とを備えている。第１筐体３４は、その厚さ方向に互いに接合する第１ケース３８（被結合部材に相当）と第２ケース４０（外側ケース部材に相当）とを備えて構成されている。図１中においては、携帯電話機３０は、第１筐体３４と第２筐体３６とを折畳んで互いに重ね合せた状態であるため、第１ケース３８よりも第２ケース４０の方が紙面の手前側に表されている。
【００１４】
また、第１筐体３４の第２ケース４０には、図示しない充電式の電池パックを被覆する電池パックカバー４２が外側に着脱自在に取付けられていると共に、電池パックカバー４２よりもヒンジ部３２寄りの位置に、この電池パックの充電用の２つの端子部材４４が取付けられている。
【００１５】
この２つの端子部材４４は、第１筐体３４と第２筐体３６とを折畳んで互いに重ね合せた状態でも、外側に露出するようになっている。携帯電話機３０は、この２つの端子部材４４を下側にして不図示の充電器に載置したときに、この不図示の充電器が有する２つの突起状の給電端子のそれぞれに、端子部材４４が当接して充電されるようになっている。
【００１６】
２つの端子部材４４のそれぞれは、図２及び図３に示すように、第２ケース４０の外表面上に略矩形状に開口して一定深さを有するように形成された凹部４６の内側に配置されている。
【００１７】
以後の説明においては、凹部４６について、便宜上、その開口形状の矩形における、長さの長い方の辺が伸びる方向（図２中、紙面と平行の左右方向）を長さ方向といい、長さの短い方の辺が伸びる方向（図２中、紙面と平行の上下方向）を幅方向ということとするが、これにより、凹部４６の開口形状が制限されるものではない。
【００１８】
第２ケース４０の凹部４６に対応する部分の内壁は、図３に示すように、凹部４６が第１ケース３８側に窪んでいる深さの分だけ、第１ケース３８側に膨出している。これにより、凹部４６は、図２に示すように、第１ケース３８側（図２中、紙面に垂直の奥側）に深さを有し、この凹部４６の長さ方向と平行方向に伸びるように形成されて互いに対向する側壁４６ａ，４６ｂ、及びこの凹部４６の幅方向と平行方向に伸びるように形成されて互いに対向する側壁４６ｃ，４６ｄ、並びにこれら側壁４６ａ，４６ｂ，４６ｃ，４６ｄで囲まれる領域を、図３に示すように、この凹部４６の開口側とは反対側で塞ぐ底板４６ｅを有している。
【００１９】
この凹部４６の底板４６ｅには、図２及び図３に示すように、その略中央の位置に孔部４８が設けられている。この孔部４８は、図３に示すように、この孔部４８に挿入される雄ネジ部材５０（締結部材に相当）の頭部５０ａが皿形状であることに対応して、この雄ネジ部材５０の頭部５０ａが沈み込む深さ分だけ、内周面がすり鉢状に傾斜して形成されている。なお、雄ネジ部材５０は、図２に示すように、その頭部５０ａの端面に形成される溝が、すり割形状（「−」形状）や十字穴形状（「＋」形状）ではなく、三叉形状に形成されているため、特殊な工具を用いて締付けたり外したりするようになっている。また、凹部４６の底板４６ｅには、図２及び図４に示すように、この凹部４６の長さ方向における側壁４６ｄ側の両方の隅部に、２つの長方形孔５２が設けられている。
【００２０】
また、凹部４６の側壁４６ａ，４６ｂのそれぞれには、図２及び図５に示すように、互いに対向する内側の面に、この凹部４６の深さ方向に伸びる溝部５４が設けられている。この溝部５４は、図５に示すように、深さ方向に伸びるように形成されているが、凹部４６の開口側には突き抜けずに、段部５６を残すように形成されている。
【００２１】
また、凹部４６の側壁４６ｃには、図２に示すように、この凹部４６の幅方向の中央の位置であって、図３に示すように、底板４６ｅと交差する位置に、引掛け孔５８が設けられている。
【００２２】
一方、第１ケース３８の内部には、凹部４６の孔部４８に対応する位置に、第２ケース４０側に突出する高さを有して、その上端面６０ａが凹部４６の底板４６ｅに当接する、略円柱形状のボス部６０が設けられている。このボス部６０には、その上端面６０ａに開口する雌ネジ部６２が形成されている。また、このボス部６０は、その上端面６０ａ側よりも下端部６０ｂ側の方が、高さ方向に直角の断面の直径が大きくなっていくようなテーパ状に形成されている。
【００２３】
また、第１ケース３８と第２ケース４０との間の内部空間には、回路基板６４が配置されている。この回路基板６４には、嵌合孔６４ａが形成されている。回路基板６４は、この嵌合孔６４ａが、ボス部６０の高さ中間位置に嵌り込むことにより、位置が定まるようになっている。また、回路基板６４には、図６に示すように、後述する端子部材４４の接続部８２に対応する位置に、配線パターン６６が形成されている。
【００２４】
携帯電話機３０は、その組立て作業時においては、図３に示す雄ネジ部材５０が、第２ケース４０の外側から孔部４８に挿入されて、第１ケース３８におけるボス部６０の雌ネジ部６２とネジ締結されて第１ケース３８と第２ケース４０が互いに接合された状態で固定されるようになっている。
【００２５】
端子部材４４は、図２ないし図５に示すように、１枚の平板部８０、２本の接続部８２、２本の係合部８４、及び１個の引掛け部８６を備えて構成されている。平板部８０は、略矩形の平面形状を有しており、端子部材４４が凹部４６内に取付けられたときには外側に露出するようになっている。
【００２６】
２本の接続部８２のそれぞれは、図２、図４及び図５に示すように、平板部８０の縁部に設けられると共に、端子部材４４が凹部４６内に取付けられたときには凹部４６の幅方向と平行方向に一定幅を有する帯形状に形成されており、第１ケース３８側に伸びる高さ中間位置において一定角度で折り曲げられ、第１ケース３８側に立設されている。
【００２７】
また、接続部８２のそれぞれは、その先端部８２ａが第１ケース３８側に膨らんで湾曲するように形成されている。接続部８２は、端子部材４４全体が凹部４６内に入り込んで取付けられた状態のときに、凹部４６の長方形孔５２を通り、図６に示すように、回路基板６４の配線パターン６６に接触するようになっている。接続部８２は、弾性を有していることにより、先端部８２ａが回路基板６４の配線パターン６６に圧接するようになっている。この圧接構造により、より確実に、接続部８２の先端部８２ａを回路基板６４の配線パターン６６に接続することができる。
【００２８】
また、図２及び図５に示すように、端子部材４４の２本の係合部８４のそれぞれは、平板部８０の縁部に設けられると共に、端子部材４４が凹部４６内に取付けられたときには互いに対向し、第１ケース３８側とは反対方向に垂直に立設されている。また、係合部８４のそれぞれは、図４に示すように、凹部４６の長さ方向と平行方向に一定幅を有する帯形状に形成されており、端子部材４４全体が凹部４６内に入り込んで取付けられたときに、凹部４６における側壁４６ａ，４６ｂの溝部５４に係合するようになっている。
【００２９】
さらに、係合部８４のそれぞれは、図５に示すように、互いに対向する方向に、その先端部８４ａが「く」の字形状に折り曲げられており、この先端部８４ａは、端子部材４４全体が凹部４６内に入り込んで取付けられた状態のときに、凹部４６の段部５６に一時乗り上げて係合されるようになっている。
【００３０】
また、図２に示すように、端子部材４４の引掛け部８６は、平板部８０の縁部に設けられると共に、端子部材４４が凹部４６内に取付けられたときには側壁４６ｃ側に突出するように形成されている。この引掛け部８６は、凹部４６の引掛け孔５８に入り込んで引っ掛かるようになっている。
【００３１】
携帯電話機３０の組立て時においては、端子部材４４は、図３に示すように、雄ネジ部材５０が、第２ケース４０における凹部４６の孔部４８に挿入され、第１ケース３８におけるボス部６０の雌ネジ部６２とネジ締結した後に、外側から第２ケース４０の凹部４６内に取付けられる。
【００３２】
そして、この端子部材４４の接続部８２が、図４及び図６に示すように、回路基板６４の配線パターン６６に圧接して電気導通すると共に、図２及び図３に示すように、平板部８０が、雄ネジ部材５０の頭部５０ａを覆って隠すようになっている。また、端子部材４４は、凹部４６内に取付けられた後においても、係合部８４の先端部８４ａを摘んで、係合部８４と段部５６との間の係合、及び引掛け部８６と引掛け孔との間の引掛りを解除することにより、簡単に取外せるようになっており、脱着可能な構成となっている。
【００３３】
このような本実施の形態に係る携帯電話機３０によれば、端子部材４４が雄ネジ部材５０の頭部５０ａを隠すようになっているため、その分だけ、図７に示すような前記従来の携帯電話機２に係るキャップ部材１２と同様のキャップ部材の個数を減らすことができる。これにより、携帯電話機３０は、その組立て工数等を低減し、製造費を低減することができる。また、キャップ部材を減らすことができる分、デザイン設計上の幅も広がる。
【００３４】
さらに、本実施の形態に係る携帯電話機３０のように折畳み可能に連結される携帯電話機においては、設計上、端子部材４４と雄ネジ部材５０とを互いに隣接して携帯電話機に配設することが一般に行われるため、このような場合に本発明を適用すれば、端子部材４４が雄ネジ部材５０の頭部５０ａを隠すようになっているため、外観を害することなく両者を取り付けることができる。
【００３５】
なお、本実施の形態に係る携帯電話機３０では、端子部材４４は、電池パック４２の充電に用いられるものであったが、充電以外の用途に用いられるものであってもよい。
【００３６】
また、本実施の形態に係る携帯電話機３０では、図４に示すように、端子部材４４が可撓性を有する接続部８２を有して、この接続部８２が長方形孔５２を通って回路基板６４の配線パターン６６に圧接するようになっていたが、他の実施の形態として、端子部材４４に接続部８２を設けないようにすると共に、長方形孔５２を通って端子部材４４に圧接するような可撓性を有する接続部を回路基板６４上に設けてもよい。
【００３７】
また、本実施の形態に係る携帯電話機３０では、図３に示すように、第１ケース３８にボス部６０が設けられていることにより、雄ネジ部材５０が、このボス部６０の雌ネジ部６２とネジ締結するようになっていたが、ボス部６０が設けられないようにして、雄ネジ部材５０が、第１筐体３４内に配置される図示しない他の部品等とネジ締結してもよい。
【００３８】
また、本実施の形態に係る携帯電話機３０では、締結部材として雄ネジ部材５０を用いるようになっていたが、雄ネジ部材５０以外の締結部材を用いるようになっていてもよい。
【００３９】
例えば、図示しないが、略軸形状であって、図３に示す雄ネジ部材５０の頭部５０ａと同じ形状の頭部を有し、この頭部と反対側の端部に鉤部が形成されている締結部材を用いるようにすると共に、第１ケース３８におけるボス部６０の雌ネジ部６２の代わりに、キー溝を有する穴を設け、このキー溝の形状が、その穴の開口側から深さ方向に伸びて、この深さ方向の長さ終端部においてのみ拡幅して形成されるようにすることにより、締結部材の鉤部が、この穴のキー溝を通ってキー溝の長さ終端部に届いたところで、締結部材が、この終端部の拡幅分だけ回動して鉤部が引っ掛かるようになっていてもよい。
【００４０】
また、本実施の形態では、端末装置の一例として携帯電話機３０に適用した場合について説明したが、本発明は、携帯電話機３０以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置やポータブルゲーム機のような、他の端末装置についても適用することができることはいうまでもない。
【００４１】
また、本実施の形態では、第２ケース４０が第１ケース３８と雄ネジ部材５０を介して結合される構成としたが、当該構成に限定されることなく、第２ケース部材４０は他の被結合部材、例えば回路基盤６４などと結合されるように構成してもよい。
【図面の簡単な説明】
【００４２】
【図１】本発明の一実施の形態に係る携帯電話機３０を示す斜視図である。
【図２】図１に示す第１ケース３８の凹部４６、及び端子部材４４を示す拡大平面図ある。
【図３】図２中のＢ―Ｂ線矢視の断面図であって、第１ケース３８、第２ケース４０及び回路基板６４の要部、並びに端子部材４４及び雄ネジ部材５０を示す図である。
【図４】図２中のＣ―Ｃ線矢視の断面図であって、第１ケース３８、第２ケース４０及び回路基板６４の要部、並びに端子部材４４を示す図である。
【図５】図３中のＤ―Ｄ線矢視の断面図であって、第１ケース３８、第２ケース４０及び回路基板６４の要部、並びに端子部材４４を示す図である。
【図６】図３中のＥ―Ｅ線矢視の断面図であって、第１ケース３８のボス部６０、回路基板６４の要部、及び端子部材４４の接続部８２を示す図である。
【図７】従来の携帯電話機２を示す斜視図である。
【図８】図７中のＡ―Ａ線矢視の断面図であって、上側ケース６及び下側ケース８の要部、並びにキャップ部材１２及び雄ネジ部材２０を示す図である。
【符号の説明】
【００４３】
２  携帯電話機
４  筐体
６  上側ケース
８  下側ケース
９  主操作部
１０  ネジ締め用凹部
１０ａ  底板
１０ｂ  孔部
１２  キャップ部材
１６  ボス部
１６ａ  上端面
１８  回路基板
１８ａ  嵌合孔
２０  雄ネジ部材
２０ａ  頭部
３０  携帯電話機
３２  ヒンジ部
３４  第１筐体
３６  第２筐体
３８  第１ケース
４０  第２ケース
４２  電池パックカバー
４４  端子部材
４６  凹部
４６ａ，４６ｂ，４６ｃ，４６ｄ  側壁
４６ｅ  底板
４８  孔部
５０  雄ネジ部材
５０ａ  頭部
５２  長方形孔
５４  溝部
５６  段部
５８  引掛け孔
６０  ボス部
６０ａ  上端面
６０ｂ  下端部
６２  雌ネジ部
６４  回路基板
６４ａ  嵌合孔
６６  配線パターン
８０  平板部
８２  接続部
８２ａ  先端部
８４  係合部
８４ａ  先端部
８６  引掛け部
【図１】
2007274087.tif 000003
【図２】
2007274087.tif 000004
【図３】
2007274087.tif 000005
【図４】
2007274087.tif 000006
【図５】
2007274087.tif 000007
【図６】
2007274087.tif 000008
【図７】
2007274087.tif 000009
【図８】
2007274087.tif 000010